(57)【要約】      （修正有）【課題】外観の意匠性を向上させることができると共に、施工性を向上させることができる戸体を提供する。【解決手段】戸体は、芯材４と、芯材４の一側面４１を覆うように配置されるカバー部材５と、芯材４とカバー部材５との間に配置され芯材４とカバー部材５とを固定する固定部材６と、を備える戸体であって、固定部材６は、芯材４の一側面４１に嵌合可能な第１嵌合部６２と、カバー部材５の裏面側に嵌合可能な第２嵌合部６３と、を有する。【選択図】図４
2020200633.tif 000002
【特許請求の範囲】
【請求項１】
芯材と、
前記芯材の一側面を覆うように配置されるカバー部材と、
前記芯材と前記カバー部材との間に配置され前記芯材と前記カバー部材とを固定する固定部材と、を備える戸体であって、
前記固定部材は、前記芯材の一側面に嵌合可能な第１嵌合部と、前記カバー部材の裏面側に嵌合可能な第２嵌合部と、を有する戸体。
【請求項２】
前記芯材は、一側面に配置され開口部が形成された板状部と、前記開口部の縁により構成され前記第１嵌合部が嵌合可能な開口縁嵌合部と、を有し、
前記カバー部材は、該カバー部材の裏面から突出すると共に前記第２嵌合部が嵌合可能な突出嵌合部を有する、請求項１に記載の戸体。
【請求項３】
前記固定部材は、固定部材本体を有し、
前記第１嵌合部は、前記固定部材本体から一側に突出する第１突出部の先端側に形成され、
前記第２嵌合部は、前記固定部材本体から前記第１嵌合部の突出方向と同じ方向の一側に突出する第２突出部の先端側に形成され、
前記固定部材本体は、少なくとも一部が、前記芯材の内部側に配置され、
前記第１嵌合部は、前記開口縁嵌合部において前記芯材の見込面に嵌合し、
前記第２嵌合部は、前記突出嵌合部において前記カバー部材の裏面側に嵌合する、請求項２に記載の戸体。
【請求項４】
前記開口縁嵌合部は、前記板状部の一側の面に形成される第１開口縁係合部と、前記板状部の他側の面に形成される第２開口縁係合部と、を有し、
前記第１嵌合部は、前記第１開口縁係合部に係合される一面側係合部と、前記第２開口縁係合部に係合される他面側係合部と、を有し、前記開口縁嵌合部において、前記開口部の縁の前記板状部を、前記一面側係合部及び前記他面側係合部により挟み込むことで、前記芯材の一側面に嵌合される、請求項２又は３に記載の戸体。
【請求項５】
前記一面側係合部及び前記他面側係合部のいずれか一方は、前記板状部の厚さに対応して係合可能な段差状の段差係合部を有する、請求項４に記載の戸体。
【請求項６】
前記突出嵌合部は、第１突出係合部と、第２突出係合部と、を有し、
前記第２嵌合部は、前記カバー部材と前記固定部材とが離れる側への移動を規制した状態で前記第１突出係合部に係合する第１規制係合部と、前記カバー部材と前記固定部材とが近づく側への移動を規制した状態で前記第２突出係合部に係合する第２規制係合部と、を有し、前記突出嵌合部において、前記第１規制係合部を前記第１突出係合部に係合させると共に、前記第２規制係合部を前記第２突出係合部に係合させることで、前記カバー部材の裏面側に嵌合される、請求項２〜５のいずれかに記載の戸体。
【発明の詳細な説明】
【技術分野】
【０００１】
本発明は、芯材の一側面を覆うように配置されるカバー部材を備える戸体に関する。
【背景技術】
【０００２】
従来、戸体の見込面（一側面）を覆うカバー部材をネジにより固定する構造が知られている（例えば、特許文献１参照）。
【先行技術文献】
【特許文献】
【０００３】
【特許文献１】特開２０１５−８６６６８号公報
【発明の概要】
【発明が解決しようとする課題】
【０００４】
戸体の見込面を覆うカバー部材をネジにより固定する構造においては、カバー部材の表面にネジの頭が外観上見えてしまうため、外観の意匠性が損なわれる可能性がある。また、カバー部材をネジで固定するため、カバー部材を取り付ける施工時に手間が掛かる。そのため、外観の意匠性を向上させることができると共に、施工性を向上させることが望まれている。
【０００５】
本発明は、外観の意匠性を向上させることができると共に、施工性を向上させることができる戸体を提供することを目的とする。
【課題を解決するための手段】
【０００６】
本発明は、芯材と、前記芯材の一側面を覆うように配置されるカバー部材と、前記芯材と前記カバー部材との間に配置され前記芯材と前記カバー部材とを固定する固定部材と、を備える戸体であって、前記固定部材は、前記芯材の一側面に嵌合可能な第１嵌合部と、前記カバー部材の裏面側に嵌合可能な第２嵌合部と、を有する戸体に関する。
【図面の簡単な説明】
【０００７】
【図１】本発明の一実施形態に係る建具を屋外側から視た斜視図である。
【図２】スライドドアを屋内側から視た斜視図である。
【図３】固定クリップを用いてスライドドアの縦芯材に見込面カバー部材を固定した状態を示す斜視図である。
【図４】縦芯材から、見込面カバー部材及び固定クリップを取り外した状態を正面側から視た斜視図である。
【図５】縦芯材から、見込面カバー部材及び固定クリップを取り外した状態を背面側から視た斜視図である。
【図６】見込面カバー部材に固定クリップが嵌合された状態を示す斜視図である。
【図７】縦芯材に固定クリップが嵌合された状態を示す斜視図である。
【図８】図３のＡ−Ａ線断面図である。
【図９】図３のＢ−Ｂ線断面図である。
【図１０】図３のＣ−Ｃ線断面図である。
【図１１】表面板の厚さが異なる縦芯材に、固定クリップが嵌合された状態を示す図である。
【発明を実施するための形態】
【０００８】
以下、本発明の好ましい一実施形態について、図面を参照しながら説明する。
なお、本明細書において、「見付方向」とは、枠体２に納められたスライドドア３の面方向を意味し、「見込方向」とは、屋内外方向（即ち、奥行き方向）を意味する。
図１に示すように、本実施形態の建具１は、建物（図示せず）に固定される枠体２と、枠体２の内側に納められるスライドドア３（戸体）と、を備える。
【０００９】
枠体２は、建物（図示せず）の所定箇所に取り付けられる。枠体２は、上枠２１、下枠２２及び縦枠２３が、左右方向の一方側が開放するコ字状に組まれて構成される。
上枠２１は、枠体２の上側に配置され、左右方向（横方向）に延びる。上枠２１は、前面が開放して形成される。上枠２１の前面には、上枠前面カバー２１１が配置されている。
下枠２２は、枠体２の下側に配置され、上枠２１に平行に左右方向（横方向）に延びる。
縦枠２３は、上枠２１の左右方向の他方側の端部と下枠２２の左右方向の他方側の端部とを繋いで上下方向（縦方向）に延びる。
【００１０】
スライドドア３は、枠体２の内側に配置される。本実施形態においては、スライドドア３は、枠体２内を左右方向にスライド移動可能に構成され、片引きの吊り式の玄関ドア等の開き戸である。スライドドア３の上端は、上枠２１の内部に配置される複数の吊車（図示せず）を介して、上枠２１に吊られている。
【００１１】
スライドドア３は、図２に示すように、芯材枠体３１と、屋内側面材３２（面材）と、屋内側ハンドル３３と、屋外側面材３４（面材）と、複数の屋外側化粧材３５と、屋外側ハンドル３６と、開口部３７と、ガラス３８と、見込面カバー部材５（カバー部材）と、を備える。
【００１２】
芯材枠体３１は、スライドドア３の芯材を構成し、スライドドア３の四周を囲んで配置される。芯材枠体３１は、上芯材３１１と、下芯材３１２と、一対の縦芯材３１３と、を有し、上芯材３１１、下芯材３１２及び一対の縦芯材３１３により矩形に枠組みされている。一対の縦芯材３１３のうちの戸先側の縦芯材４には、固定クリップ６を介して、見込面カバー部材５が取り付けられている。なお、本実施形態において、スライドドア３の戸先側とは、スライドドア３を開位置から閉位置に左右方向にスライド移動させる場合の先端側を意味する。固定クリップ６を介して、縦芯材４に見込面カバー部材５を取り付ける構造の詳細については後述する。
【００１３】
屋内側面材３２は、芯材枠体３１の屋内側の表面に取り付けられることで、スライドドア３の屋内側の表面に配置される。
屋内側ハンドル３３は、スライドドア３の屋内側の表面において、スライドドア３の左右方向の他方側における高さ方向の略中央部に配置される。屋内側ハンドル３３を使用者が把持してスライドドア３を左右方向に移動させることで、スライドドア３を開放位置又は閉鎖位置に移動させることができる。
【００１４】
屋外側面材３４は、芯材枠体３１の屋外側の表面に取り付けられることで、スライドドア３の屋外側の表面に配置される。
屋外側面材３４の表面には、複数の屋外側化粧材３５が配置される。複数の屋外側化粧材３５は、左右方向に幅を有して上下方向に延びて形成され、ガラス３８が配置される部分を避けて、左右方向に並べられている。複数の屋外側化粧材３５は、左右方向に並べられた状態で、全体として、スライドドア３の左右方向の両端部側から中央側に向けて滑らかに膨出するように形成されている。
【００１５】
屋外側ハンドル３６は、スライドドア３の屋外側の表面において、スライドドア３の左右方向の他方側における高さ方向の略中央部に配置される。屋外側ハンドル３６を使用者が把持してスライドドア３を左右方向に移動させることで、スライドドア３を開放位置又は閉鎖位置に移動させることができる。
【００１６】
開口部３７は、図２に示すように、芯材枠体３１の内側であって、スライドドア３の見付方向（左右方向）の中心よりも建具１の枠体２の開放端側に形成される。本実施形態においては、開口部３７は、上下方向に縦長に延びる。開口部３７には、ガラス３８が納められている。
【００１７】
次に、固定クリップ６（固定部材）を介して、縦芯材４に見込面カバー部材５を取り付ける構造の詳細について説明する。なお、本実施形態において、縦芯材４の見込面４１は、縦芯材４の見込方向（奥行方向）の面を意味する。
【００１８】
スライドドア３は、図２〜図５に示すように、縦芯材４（芯材）と、縦芯材４の見込面４１（一側面）を覆うように配置される見込面カバー部材５と、縦芯材４と見込面カバー部材５との間に配置され縦芯材４と見込面カバー部材５とを固定する複数の固定クリップ６と、を備える。図２に示すように、固定クリップ６は、上下方向に離間して複数設けられる。図６に示すように、固定クリップ６は、見込面カバー部材５の裏面側に嵌合可能であり、図８に示すように、縦芯材４の見込面４１に嵌合可能である。
【００１９】
図４及び図５に示すように、縦芯材４は、断面コ字状に形成され、上下方向に延びる。
縦芯材４は、見込面４１に形成される取付板４２（板状部）と、取付板４２の見込方向の両端部からスライドドア３の見付方向の内部側に所定幅で形成される一対の側面板４５と、を有する。
取付板４２の裏面には、上下方向に延びる一対のリブ４２１が形成される。
取付板４２には、複数の固定クリップ６が配置される部分に、それぞれ、開口部４３が形成される。
【００２０】
開口部４３は、長方形開口４３１と、長方形開口４３１の上端部及び下端部に形成される一対の長方形状の凸開口４３２と、を有する。開口部４３の縁は、開口縁嵌合部４４を構成する。開口縁嵌合部４４には、固定クリップ６の第１嵌合部６２（後述）が嵌合可能である。
【００２１】
開口縁嵌合部４４は、図４及び図５に示すように、取付板４２の表面（一側の面）に形成される開口縁部表面係合部４４１（第１開口縁係合部）と、取付板４２の裏面（他側の面）に形成される開口部縁部裏面係合部４４２（第２開口縁係合部）と、を有する。
【００２２】
開口縁部表面係合部４４１は、長方形開口４３１の見込方向の両端部側の縁部の表面により構成される。開口部縁部裏面係合部４４２は、長方形開口４３１の上端部及び下端部の縁部における凸開口４３２の見込方向の両側の縁部の裏面により構成される。
【００２３】
見込面カバー部材５は、表面板５１と、一対の突出係合片５２（第１突出係合部）と、２つの突出リブ５３（第２突出係合部）と、を有する。
【００２４】
表面板５１は、見込面カバー部材５の表面を構成し、上下方向に延びる板状に形成される。
一対の突出係合片５２及び２つの突出リブ５３は、表面板５１の裏面から突出する。一対の突出係合片５２及び２つの突出リブ５３は、固定クリップ６の第２嵌合部６３（後述）が嵌合可能な突出嵌合部５５を構成する。
【００２５】
一対の突出係合片５２は、表面板５１の裏面から突出し、上下方向に延びて形成され、見付方向に離間して配置される。一対の突出係合片５２は、断面形状がＬ字状に形成され、互いに近づくように屈曲する。突出係合片５２は、表面板５１の裏面から突出する突出板５２１と、突出板５２１の先端から表面板５１の見込方向の中央側に延びる延出板５２２と、を有する。一対の突出係合片５２には、図８に示すように、固定クリップ６の第２嵌合部６３の第１規制係合部６３１（後述）が係合する。
【００２６】
２つの突出リブ５３は、図４及び図５に示すように、見込方向において、一対の突出係合部５２の間に配置され、表面板５１の裏面から突出し、上下方向に延びる。２つの突出リブ５３には、図６及び図９に示すように、固定クリップ６の第２嵌合部６３の第２規制係合部６３２が係合する。
【００２７】
固定クリップ６は、図４及び図５に示すように、上下対称の形状で形成されると共に、見込方向に対称の形状で形成される。固定クリップ６は、例えば、樹脂材料で形成される。固定クリップ６は、固定クリップ本体６１（固定部材本体）と、縦芯材４の見込面４１に嵌合可能な第１嵌合部６２と、見込面カバー部材５の裏面側に嵌合可能な第２嵌合部６３と、を有する。固定クリップ本体６１は、図７に示すように、少なくとも一部が、縦芯材４の内部側に配置される。
【００２８】
第１嵌合部６２は、固定クリップ本体６１から、見込面カバー部材５側（一側）に突出する第１突出部６１１の先端側に形成される。第１嵌合部６２は、縦芯材４の開口縁嵌合部４４において縦芯材４の見込面４１に嵌合する。
【００２９】
第１嵌合部６２は、縦芯材４の開口縁部表面係合部４４１に係合される一対の爪状開口縁係合部６２１（一面側係合部）と、縦芯材４の開口部縁部裏面係合部４４２に係合される一対の段差係合部６２２（他面側係合部）と、を有する。
【００３０】
一対の爪状開口縁係合部６２１は、固定クリップ６において、見込方向の両端部の外側において、見込方向に離間して形成される。一対の爪状開口縁係合部６２１は、それぞれ、爪形状に形成され、見込方向の内側に撓ませることで、見込方向の外側に広がる方向に弾性力が発揮される。爪状開口縁係合部６２１は、図７及び図８に示すように、縦芯材４の開口縁部表面係合部４４１に係合される。
【００３１】
一対の段差係合部６２２は、図４に示すように、固定クリップ６において、上下方向の両端部の外側において、上下方向に離間して形成される。一対の段差係合部６２２は、図４及び図５に示すように、それぞれ、取付板４２の厚さに対応した段差状に形成され、第１厚さ係合部６２２ａと、第２厚さ係合部６２２ｂと、を有する。第１厚さ係合部６２２ａは、図１０に示すように、縦芯材４の第１厚さＴ１の取付板４２の開口部縁部裏面係合部４４２に係合される。第２厚さ係合部６２２ｂは、図１１に示すように、第１厚さ係合部６２２ａの見込方向の内側に段差を介して配置され、第１厚さＴ１よりも薄い第２厚さＴ２（Ｔ２＜Ｔ１）の取付板４２Ａの開口部縁部裏面係合部４４２に係合される。
【００３２】
以上のように構成される第１嵌合部６２は、図７に示すように、開口縁嵌合部４４において、開口部４３の縁の取付板４２を、爪状開口縁係合部６２１及び段差係合部６６２（他面側係合部）により挟み込むことで、縦芯材４の見込面４１に嵌合される。
【００３３】
第２嵌合部６３は、図４に示すように、固定クリップ本体６１から、見込面カバー部材５側（一側）に突出する第２突出部６１２の先端側に形成される。第２嵌合部６３は、見込面カバー部材５の突出嵌合部５５において見込面カバー部材５の裏面側に嵌合する。第２嵌合部６３は、一対の第１規制係合部６３１と、一対の第２規制係合部６３２と、を有する。
【００３４】
一対の第１規制係合部６３１は、固定クリップ６において、一対の爪状開口縁係合部６２１の見込方向の内側において、見込方向に離間して配置される。
第１規制係合部６３１は、爪形状に形成され、見込方向の内側に撓ませることで、見込方向の外側に広がる方向に弾性力が発揮される。一対の第１規制係合部６３１は、図８に示すように、見込面カバー部材５と固定クリップ６とが離れる側への移動を規制した状態で一対の突出係合片５２に係合する。
【００３５】
一対の第２規制係合部６３２は、図４に示すように、固定クリップ６において、上下方向における一対の段差係合部６２２の上下方向の内側において、上下方向に離間して配置される。
第２規制係合部６３２は、湾曲板状に形成され、先端が突出リブ５３に押圧されることで係合する。第２規制係合部６３２は、図９及び図１０に示すように、見込面カバー部材５と固定クリップ６とが近づく側への移動を規制した状態で２つの突出リブ５３に係合する。
【００３６】
以上のように構成される第２嵌合部６３は、図８及び図９に示すように、突出嵌合部５５において、第１規制係合部６３１を一対の突出係合片５２に係合させると共に、第２規制係合部６３２を２つの突出リブ５３に係合させることで、見込面カバー部材５と固定クリップ６とが離れる側及び近づく側への移動が規制された状態で、見込面カバー部材５の裏面側に嵌合される。
【００３７】
固定クリップ６を用いて、見込面カバー部材５を縦芯材４に固定する場合には、まず、図６に示すように、見込面カバー部材５の裏面側の突出嵌合部５５に固定クリップ６を嵌合させて、この状態で、固定クリップ６を縦芯材４の開口部４３に挿入することで、固定クリップ６を開口縁嵌合部４４に嵌合させることができる。
【００３８】
以上説明してきたように、本実施形態によれば、以下の効果が奏される。
本実施形態のスライドドア３は、縦芯材４と、縦芯材４の見込面４１を覆うように配置される見込面カバー部材５と、縦芯材４と見込面カバー部材５との間に配置され縦芯材４と見込面カバー部材５とを固定する固定クリップ６と、を備え、固定クリップ６は、縦芯材４の見込面４１に嵌合可能な第１嵌合部６２と、見込面カバー部材５の裏面側に嵌合可能な第２嵌合部６３と、を有する。これにより、見込面カバー部材５を縦芯材４に固定する場合に、ネジによる固定を行わなくてよいため、見込面カバー部材の表面にネジの頭が外観上見えてしまうことがなく、外観の意匠性を向上させることができる。また、固定クリップ６と縦芯材４とを嵌合させると共に、固定クリップ６と見込面カバー部材５とを嵌合させるだけで、縦芯材４に見込面カバー部材５を取り付けることができるため、縦芯材４に見込面カバー部材５を取り付ける際の施工性を向上させることができる。
【００３９】
また、本実施形態においては、縦芯材４は、見込面４１に配置され開口部４３が形成された取付板４２と、開口部４３の縁により構成され第１嵌合部６２が嵌合可能な開口縁嵌合部４４と、を有し、見込面カバー部材５は、裏面から突出すると共に第２嵌合部６３が嵌合可能な突出嵌合部５５を有する。これにより、固定クリップ６の第１嵌合部６２を縦芯材４の開口縁嵌合部４４に嵌合させると共に、固定クリップ６の第２嵌合部６３を見込面カバー部材５の突出嵌合部５５に嵌合させるだけで、縦芯材４に見込面カバー部材５を容易に取り付けることができる。
【００４０】
また、本実施形態においては、固定クリップ６は、固定クリップ本体６１を有し、第１嵌合部６２は、固定クリップ本体６１から一側に突出する第１突出部６１１の先端側に形成され、第２嵌合部６３は、固定クリップ本体６１から第１嵌合部６２の突出方向と同じ方向の一側に突出する第２突出部６１２の先端側に形成され、固定クリップ本体６１は、少なくとも一部が、縦芯材４の内部側に配置され、第１嵌合部６２は、開口縁嵌合部４４において縦芯材４の見込面４１に嵌合し、第２嵌合部６３は、突出嵌合部５５において見込面カバー部材５の裏面側に嵌合する。これにより、固定クリップ本体６１は、少なくとも一部が、縦芯材４の内部側に配置されるため、第１嵌合部６２及び第２嵌合部６３が縦芯材４の見込面４１から突出する部分を少なくすることができる。そのため、縦芯材４の見込面４１に取り付ける見込面カバー部材５の厚さを薄くでき、スッキリした外観となり、意匠性を向上させることができる。また、見込面カバー部材５を取り付けるための空間が少ない場合でも、縦芯材４の見込面４１から突出する部分が少ないため、縦芯材４に見込面カバー部材５を容易に取り付けることができる。
【００４１】
また、本実施形態においては、開口縁嵌合部４４は、取付板４２の表面に形成される開口縁部表面係合部４４１と、取付板４２の裏面に形成される開口部縁部裏面係合部４４２と、を有し、第１嵌合部６２は、開口縁部表面係合部４４１に係合される爪状開口縁係合部６２１と、開口部縁部裏面係合部４４２に係合される段差係合部６２２と、を有し、開口縁嵌合部４４において、開口部４３の縁の取付板４２を、爪状開口縁係合部６２１及び段差係合部６２２により挟み込むことで、縦芯材４の見込面４１に嵌合される。これにより、開口部４３の縁の取付板４２を、爪状開口縁係合部６２１及び段差係合部６２２により挟み込んで嵌合させることができるため、固定クリップ６をぐらつかせずに、縦芯材４に固定クリップ６を安定して強固に取り付けることができる。
【００４２】
また、本実施形態においては、段差係合部６２２は、取付板４２，４２Ａの厚さＴ１，Ｔ２に対応して係合可能な段差状の係合部を有する。これにより、取付板４２，４２Ａの厚さの種類が複数あっても、１つの固定クリップ６により対応できる。
【００４３】
また、本実施形態においては、突出嵌合部５５は、突出係合片５２と、突出リブ５３と、を有し、第２嵌合部６３は、見込面カバー部材５と固定クリップ６とが離れる側への移動を規制した状態で突出係合片５２に係合する第１規制係合部６３１と、見込面カバー部材５と固定クリップ６とが近づく側への移動を規制した状態で突出リブ５３に係合する第２規制係合部６３２と、を有し、突出嵌合部５５において、第１規制係合部６３１を突出係合片５２に係合させると共に、第２規制係合部６３２を突出リブ５３に係合させることで、見込面カバー部材５の裏面側に嵌合される。これにより、第１規制係合部６３１を突出係合片５２に係合させると共に第２規制係合部６３２を突出リブ５３に係合させることで、見込面カバー部材５と固定クリップ６とが離れる側及び近づく側への移動が規制された状態で嵌合させることができるため、固定クリップ６をぐらつかせずに、見込面カバー部材５に固定クリップ６を安定して強固に取り付けることができる。
【００４４】
以上、本発明の好ましい実施形態について説明したが、本発明は、上述の実施形態に制限されるものではなく、適宜変更が可能である。
例えば、前記実施形態においては、見込面カバー部材５（カバー部材）を、縦芯材４（芯材）の見込面（一側面）を覆うように配置し、固定クリップ６（固定部材）を、縦芯材４（芯材）の見込面に嵌合可能に構成したが、これに限定されない。カバー部材を、芯材の見付面（芯材の見付方向（戸体の面方向）の面）（一側面）を覆うように配置し、固定部材を、芯材の見付面に嵌合可能に構成してもよい。
【符号の説明】
【００４５】
３  スライドドア（戸体）
４  縦芯材（芯材）
５  見込面カバー部材（カバー部材）
６  固定クリップ（固定部材）
４１  見込面（一側面）
４２  取付板（板状部）
４３  開口部
４４  開口縁嵌合部
５２  突出係合片（第１突出係合部）
５３  突出リブ（第２突出係合部）
５５  突出嵌合部
６１  固定クリップ本体（固定部材本体）
６２  第１嵌合部
６３  第２嵌合部
４４１  開口縁部表面係合部（第１開口縁係合部）
４４２  開口部縁部裏面係合部（第２開口縁係合部）
６１１  第１突出部
６１２  第２突出部
６２１  爪状開口縁係合部（一面側係合部）
６２２  段差係合部（他面側係合部）
６３１  第１規制係合部
６３２  第２規制係合部
【図１】
2020200633.tif 000003
【図２】
2020200633.tif 000004
【図３】
2020200633.tif 000005
【図４】
2020200633.tif 000006
【図５】
2020200633.tif 000007
【図６】
2020200633.tif 000008
【図７】
2020200633.tif 000009
【図８】
2020200633.tif 000010
【図９】
2020200633.tif 000011
【図１０】
2020200633.tif 000012
【図１１】
2020200633.tif 000013